(57)【要約】      （修正有）【課題】胴部が空の状態でも胴部を正確に八角形に形成し、その形状を維持することができる包装箱を提供する。【解決手段】包装箱１であって、八角形の角筒状に形成された胴部１０と、胴部の上下の開口部を閉塞している上下の蓋部２０と、胴部の底部に嵌め込まれた底板３０と、を備えている。底板３０は、胴部の内周面に沿って八角形に形成されており、底板の周縁部が胴部の各内面に接している。【選択図】図１
0003208239.tif 000002
【実用新案登録請求の範囲】
【請求項１】
八角形の角筒状に形成された胴部と、
前記胴部の上下の開口部を閉塞している上下の蓋部と、
前記胴部の底部に嵌め込まれた底板と、を備え、
前記底板は、前記胴部の内周面に沿って八角形に形成されており、
前記底板の周縁部が前記胴部の各内面に接していることを特徴とする包装箱。
【請求項２】
請求項１に記載の包装箱であって、
前記底板の周縁部には、前記胴部の内面に接している当接片が立設されていることを特徴とする包装箱。
【考案の詳細な説明】
【技術分野】
【０００１】
本考案は、八角形の胴部を有する包装箱に関する。
【背景技術】
【０００２】
包装箱としては、八角形の角筒状の胴部と、胴部の上下の開口部を閉塞している上下の蓋部と、を備えているものがある（例えば、特許文献１参照）。
【０００３】
西瓜やメロンなどの球状の内容物を包装する場合には、直方体の包装箱を用いるよりも、前記した八角形の包装箱を用いることで、材料面積を減少させることができる。また、前記した八角形の包装箱では、胴部の外面に印刷された商品情報を顧客が多方向から視認することができる。
【先行技術文献】
【特許文献】
【０００４】
【特許文献１】特開２０１１−２４０９６１号公報
【考案の概要】
【考案が解決しようとする課題】
【０００５】
前記した八角形の包装箱を組み立てるときには、胴部を八角形に形成し、その形状を維持しながら、胴部の下側の蓋部をテープまたは接着剤によって封緘する。しかしながら、胴部の内部が空の状態では、胴部を八角形の形状に維持するのが難しいという問題がある。
【０００６】
本考案は、前記した問題を解決し、胴部が空の状態でも胴部を正確に八角形に形成し、その形状を維持することができる包装箱を提供することを課題とする。
【課題を解決するための手段】
【０００７】
前記課題を解決するため、本考案は、包装箱であって、八角形の角筒状に形成された胴部と、前記胴部の上下の開口部を閉塞している上下の蓋部と、前記胴部の底部に嵌め込まれた底板と、を備えている。前記底板は、前記胴部の内周面に沿って八角形に形成されており、前記底板の周縁部が前記胴部の各内面に接している。
【０００８】
本考案の包装箱では、八角形の底板を胴部に嵌め込むと、底板の周縁部によって胴部の各内面が支持される。これにより、胴部が空の状態でも胴部を正確に八角形に形成することができ、その形状を維持することができる。したがって、本考案では、胴部の開口部を蓋部によって閉塞するときにも、胴部の形状を安定させることができるため、包装箱を組み立て易くなっている。
また、本考案の包装箱では、底板が緩衝材の役割を果たすため、内容物を保護することができる。さらに、本考案の包装箱は、下側の蓋部と底板とによって二重底となるため、底部の強度を高めることができる。
【０００９】
前記した包装箱において、前記胴部の内面に接している当接片を前記底板の周縁部に立設し、当接片によって胴部の内面を確実に支持することが好ましい。
【考案の効果】
【００１０】
本考案では、胴部が空の状態でも底板によって胴部を八角形に維持することができるため、包装箱を組み立て易くなっている。
【図面の簡単な説明】
【００１１】
【図１】本考案の実施形態に係る包装箱を示した図で前方左上から見た斜視図である。
【図２】本考案の実施形態に係る包装箱を示した図で後方左下から見た斜視図である。
【図３】本考案の実施形態に係る包装箱の胴部および蓋部のブランクシートである。
【図４】本考案の実施形態に係る包装箱を示した図で、箱体に底板を嵌め込む様子を示した斜視図である。
【図５】本考案の実施形態に係る包装箱を示した図で、図１のＡ−Ａ断面図である。
【考案を実施するための形態】
【００１２】
本考案の実施形態について、適宜図面を参照しながら詳細に説明する。
以下の説明において、前後左右方向とは、本実施形態の包装箱を説明する上で便宜上設定したものであり、包装箱の構成を限定するものではない。
【００１３】
本実施形態の包装箱１は、図１および図２に示すように、八角形の角筒状に形成された胴部１０と、上下の蓋部２０，２０と、胴部１０の底部に嵌め込まれた底板３０と、を備えている。本実施形態では、胴部１０と上下の蓋部２０，２０とは一体に形成されており、胴部１０と底板３０とは別体に形成されている。
【００１４】
胴部１０は、前後一対の端壁１１，１２と、左右一対の側壁１３，１４と、隣り合う端壁１１，１２と側壁１３，１４との間に形成された四つの傾斜壁１６ａ〜１６ｄと、を備えている。胴部１０の上面および下面には、八角形の開口部１０ａ，１０ｂが形成されている。
【００１５】
胴部１０は、図３に示すように、一枚の段ボール製のシートを切り抜いたブランクシートＳを各罫線において山折りまたは谷折りすることで形成される。図３に示すブランクシートＳは外面側が見えるように配置されている。
ブランクシートＳの各罫線（折線）は、ブランクシートＳの表面を押し込んで形成された線状の溝である。
なお、罫線に切れ込みを形成してもよい。このようにすると、罫線においてブランクシートＳを折り曲げ易くなる。
【００１６】
本実施形態では、前端壁１１は、図１に示すように、長方形に形成されており、左右方向よりも上下方向が大きく形成されている。
前端壁１１の左縁部には、罫線Ｌ１を介して、第一の傾斜壁１６ａが連設されている。第一の傾斜壁１６ａは、胴部１０の左前の角部に配置されている。
第一の傾斜壁１６ａは、前端壁１１の左縁部から左斜め後方に向けて延びている。第一の傾斜壁１６ａは、前端壁１１に対して４５度の角度で傾斜している。
第一の傾斜壁１６ａは、前端壁１１の左縁部に沿って帯状の長方形に形成されている。
【００１７】
第一の傾斜壁１６ａの後縁部には、罫線Ｌ２を介して、左側壁１３が連設されている。
左側壁１３は、第一の傾斜壁１６ａの後縁部から後方に向けて延びている。左側壁１３は、第一の傾斜壁１６ａに対して４５度の角度で傾斜している。左側壁１３は、前端壁１１に対して垂直に配置されている。
左側壁１３は、長方形に形成されており、左側壁１３の縦横の大きさは前端壁１１と同じ大きさに形成されている（図３参照）。
【００１８】
左側壁１３の後縁部には、図２に示すように、罫線Ｌ３を介して、第二の傾斜壁１６ｂが連設されている。第二の傾斜壁１６ｂは、胴部１０の左後の角部に配置されている。
第二の傾斜壁１６ｂは、左側壁１３の後縁部から右斜め後方に向けて延びている。第二の傾斜壁１６ｂは、左側壁１３に対して４５度の角度で傾斜している。
第二の傾斜壁１６ｂは、左側壁１３の後縁部に沿って帯状の長方形に形成されている。第二の傾斜壁１６ｂと第一の傾斜壁１６ａ（図１参照）とは前後対称な形状である。
【００１９】
第二の傾斜壁１６ｂの後縁部には、罫線Ｌ４を介して、後端壁１２が連設されている。
後端壁１２は、第二の傾斜壁１６ｂの後縁部から右方に向けて延びている。後端壁１２は、第二の傾斜壁１６ｂに対して４５度の角度で傾斜している。後端壁１２は前端壁１１（図１参照）と同じ形状である。前端壁１１と後端壁１２とは、平行に配置されており、前後方向に対向している。
【００２０】
後端壁１２の右縁部には、罫線Ｌ５を介して、第三の傾斜壁１６ｃが連設されている。第三の傾斜壁１６ｃは、胴部１０の右後の角部に配置されている。
第三の傾斜壁１６ｃは、後端壁１２の右縁部から右斜め前方に向けて延びている。第三の傾斜壁１６ｃは、後端壁１２に対して４５度の角度で傾斜している。
第三の傾斜壁１６ｃは、後端壁１２の右縁部に沿って帯状の長方形に形成されている。第三の傾斜壁１６ｃと第二の傾斜壁１６ｂ（図２参照）とは左右対称な形状である。
【００２１】
第三の傾斜壁１６ｃの前縁部には、図４に示すように、罫線Ｌ６を介して、右側壁１４が連設されている（図５参照）。
右側壁１４は、第三の傾斜壁１６ｃの前縁部から前方に向けて延びている。右側壁１４は、第三の傾斜壁１６ｃに対して４５度の角度で傾斜している。右側壁１４は、左側壁１３（図１参照）と同じ形状である。左側壁１３と右側壁１４とは、平行に配置されており、左右方向に対向している。
【００２２】
前端壁１１の右縁部には、図１に示すように、罫線Ｌ７を介して、第四の傾斜壁１６ｄが連設されている（図５参照）。第四の傾斜壁１６ｄは胴部１０の右前の角部に配置されている。
第四の傾斜壁１６ｄは、前端壁１１の右縁部から右斜め後方に向けて延びている。第四の傾斜壁１６ｄは、前端壁１１に対して４５度の角度で傾斜している。
第四の傾斜壁１６ｄは、前端壁１１の右縁部に沿って帯状に形成されている（図３参照）。第四の傾斜壁１６ｄと第一の傾斜壁１６ａとは左右対称な形状である。
【００２３】
第四の傾斜壁１６ｄの後縁部には、図４に示すように、罫線Ｌ８を介して、接合片１５が連設されている。接合片１５は、第四の傾斜壁１６ｄの後縁部に沿って帯状の長方形に形成されている（図３参照）。
本実施形態の接合片１５は、右側壁１４の内面の前端部に接着剤によって接合される部位である。
【００２４】
ブランクシートＳ（図３参照）を罫線Ｌ１〜Ｌ８で折り曲げつつ、接合片１５を右側壁１４の内面に接合すると、図１および図２に示すように、前端壁１１、後端壁１２、左側壁１３、右側壁１４および四つの傾斜壁１６ａ〜１６ｄによって、八角形の角筒状の胴部１０が形成される。
【００２５】
上側の蓋部２０は、図１に示すように、胴部１０の上側の開口部１０ａを閉塞するものであり、前後一対の外フラップ２１，２１および左右一対の内フラップ２２，２２によって形成されている。
【００２６】
左側壁１３の上縁部には、図４に示すように、罫線Ｌ２１を介して、左側の内フラップ２２が連設されている。
左側の内フラップ２２は、図１に示すように、左側壁１３の上縁部から右方に向けて延びている。左側の内フラップ２２は、左側壁１３に対して垂直に形成されている。
左側の内フラップ２２の前後方向の幅は一定に形成されており、内フラップ２２は長方形に形成されている。左側の内フラップ２２の内端縁部は、上側の開口部１０ａの左右方向の中間部に配置されている。
【００２７】
右側壁１４の上縁部には、図４に示すように、罫線Ｌ２１を介して、右側の内フラップ２２が連設されている。
右側の内フラップ２２は、図１に示すように、右側壁１４の上縁部から左方に向けて延びている。右側の内フラップ２２は、右側壁１４に対して垂直に形成されている。
右側の内フラップ２２と左側の内フラップ２２とは、左右対称な形状に形成されている。左右の内フラップ２２，２２は左右に隣接して配置されている。
【００２８】
前側の外フラップ２１は、図４に示すように、前端壁１１の上縁部に罫線Ｌ２２を介して連設されている。
前側の外フラップ２１は、図１に示すように、前端壁１１の上縁部から後方に向けて延びている。前側の外フラップ２１は、前端壁１１に対して垂直に形成されている。
【００２９】
前側の外フラップ２１は、上側の開口部１０ａの前半分の形状に合わせて形成されており、上側の開口部１０ａの前半分の領域を塞いでいる。前側の外フラップ２１は、左右の内フラップ２２，２２の上面に重ねられている。
前側の外フラップ２１の基部は、前端壁１１の左右両側に隣接する傾斜壁１６ａ，１６ｄの間隔に合わせて、後方に向かうに従って左右方向に拡幅されている。
また、前側の外フラップ２１の先端部は、左右の側壁１３，１４の間隔に合わせて左右方向の幅が一定に形成されている。
【００３０】
後側の外フラップ２１は、図４に示すように、後端壁１２の上縁部に罫線Ｌ２２を介して連設されている。
後側の外フラップ２１は、図１に示すように、後端壁１２の上縁部から前方に向けて延びている。後側の外フラップ２１は、後端壁１２に対して垂直に形成されている。
後側の外フラップ２１と前側の外フラップ２１とは前後対称な形状である。後側の外フラップ２１は、上側の開口部１０ａの後半分の領域を塞いでいる。
【００３１】
前記した前後の外フラップ２１，２１および左右の内フラップ２２，２２によって上側の蓋部２０が形成されており、上側の蓋部２０によって胴部１０の上側の開口部１０ａが閉塞されている。
【００３２】
下側の蓋部２０は、図２に示すように、胴部１０の下側の開口部１０ｂを閉塞するものであり、前後一対の外フラップ２１，２１および左右一対の内フラップ２２，２２によって形成されている。下側の蓋部２０と上側の蓋部２０とは上下対称な構成である。
【００３３】
底板３０は、図１に示すように、胴部１０の底部（下部）に嵌め込まれるものであり、下側の蓋部２０（図２参照）の上面に重ねられる。
底板３０は、図４に示すように、八角形の平板部３１と、平板部３１の周縁部に形成された前後左右四つの当接片３２と、を備えている。
【００３４】
平板部３１の周縁部は、図５に示すように、胴部１０の内周面に沿って八角形に形成されている。
平板部３１の前縁部３１ａは、前端壁１１の内面に沿って延びており、前端壁１１の内面に接している。
平板部３１の後縁部３１ｂは、後端壁１２の内面に沿って延びており、後端壁１２の内面に接している。
平板部３１の左縁部３１ｃは、左側壁１３の内面に沿って延びており、左側壁１３の内面に接している。
平板部３１の右縁部３１ｄは、右側壁１４の内面に沿って延びており、右側壁１４の内面に接している。
平板部３１の前後左右の縁部３１ａ〜３１ｄの長さは、端壁１１，１２および側壁１３，１４の内面の横幅と略同じ長さである。
【００３５】
平板部３１の前縁部３１ａと左縁部３１ｃとの間には、第一の傾斜縁部３１ｅが形成されている。第一の傾斜縁部３１ｅは、第一の傾斜壁１６ａの内面に沿って延びており、第一の傾斜壁１６ａの内面に接している。
平板部３１の左縁部３１ｃと後縁部３１ｂとの間には、第二の傾斜縁部３１ｆが形成されている。第二の傾斜縁部３１ｆは、第二の傾斜壁１６ｂの内面に沿って延びており、第二の傾斜壁１６ｂの内面に接している。
平板部３１の後縁部３１ｂと右縁部３１ｄとの間には、第三の傾斜縁部３１ｇが形成されている。第三の傾斜縁部３１ｇは、第三の傾斜壁１６ｃの内面に沿って延びており、第三の傾斜壁１６ｃの内面に接している。
平板部３１の右縁部３１ｄと前縁部３１ａとの間には、第四の傾斜縁部３１ｈが形成されている。第四の傾斜縁部３１ｈは、第四の傾斜壁１６ｄの内面に沿って延びており、第四の傾斜壁１６ｄの内面に接している。
平板部３１の各傾斜縁部３１ｅ〜３１ｈの長さは、各傾斜壁１６ａ〜１６ｄの内面の横幅と略同じ長さである。
【００３６】
胴部１０内に底板３０を嵌め込んだ状態では、底板３０の周縁部（各縁部３１ａ〜３１ｈ）が胴部１０の各内面に全て接している。これにより、底板３０の周縁部によって、胴部１０の各内面が支持されている。
したがって、空の胴部１０に底板３０を嵌め込むと、底板３０によって胴部１０が八角形に押し広げられ、その形状が保たれる。
【００３７】
底板３０の前縁部３１ａおよび後縁部３１ｂには、図４に示すように、前後一対の当接片３２，３２が立設されている。また、底板３０の左縁部３１ｃおよび右縁部３１ｄには、左右一対の当接片３２，３２が立設されている。
各当接片３２は、底板３１の各縁部３１ａ〜３１ｄに罫線を介してそれぞれ連設されている。当接片３２は、罫線において平板部３１に対して上向きに折り曲げられた部位である。本実施形態の当接片３２は、下縁部よりも上縁部が小さく形成された台形状に形成されている。
【００３８】
胴部１０内に底板３０を嵌め込んだ状態では、図５に示すように、前側の当接片３２の外面は、前端壁１１の内面に接しており、後側の当接片３２の外面は、後端壁１２の内面に接している。また、左側の当接片３２の外面は、左側壁１３の内面に接しており、右側の当接片３２の外面は、右側壁１４の内面に接している。
【００３９】
次に、本実施形態の包装箱１を組み立てる手順について説明する。
まず、図３に示すブランクシートＳを罫線Ｌ１〜Ｌ８で折り曲げつつ、接合片１５を右側壁１４の内面に接合して、図１に示すように、八角形の角筒状の胴部１０を形成する。
また、図４に示すように、底板３０の平板部３１に対して、各当接片３２を上向きに折り曲げて、平板部３１の前後左右の縁部３１ａ〜３１ｄに各当接片３２を立設させる。
【００４０】
続いて、胴部１０の下側の蓋部２０を組み立てる。このとき、下側の蓋部２０の各フラップ２１，２２は、テープによって固定せずに、蓋部２０を仮組の状態にしておく。
その後、底板３０の前後左右の縁部３１ａ〜３１ｄを、胴部１０の前後の端壁１１，１２および左右の側壁１３，１４にそれぞれ対応させた状態で、底板３０を胴部１０の上側の開口部１０ａから挿入する。
これにより、図５に示すように、底板３０の周縁部および各当接片３２によって胴部１０が八角形に押し広げられる。
【００４１】
そして、図２に示すように、底板３０によって胴部１０の形状を維持しながら、下側の蓋部２０の両外フラップ２１，２１をテープまたは接着剤によって固定して、下側の蓋部２０を閉じる。また、底板３０を下方に押し込んで、下側の蓋部２０の上面に重ねる。
胴部１０の上側の開口部１０ａから内容物を胴部１０内に入れた後に、図１に示すように、胴部１０の上側の開口部１０ａを上側の蓋部２０によって閉塞する。これにより、内容物を収容した八角形の包装箱１が完成する。
【００４２】
以上のような本実施形態の包装箱１では、図１に示すように、八角形の底板３０を空の胴部１０に嵌め込むと、底板３０によって胴部１０の各内面が支持される。
これにより、胴部１０が空の状態でも胴部１０を正確に八角形に形成し、その形状を維持することができる。したがって、空の胴部１０の開口部を蓋部２０によって閉塞するときにも、胴部１０の形状を安定させることができるため、包装箱１を組み立て易くなっている。
さらに、本実施形態の包装箱１では、底板３０の周縁部に立設した各当接片３２が胴部１０の内面に接するため、底板３０によって胴部１０の内面を確実に支持することができる。
【００４３】
また、本実施形態の包装箱１では、図２に示すように、下側の蓋部２０の上面に底板３０が重ねられており、底板３０が緩衝材の役割を果たすため、内容物を保護することができる。
また、本実施形態の包装箱１は、底側の外フラップ２１、内フラップ２２および底板３０によって三重底となるため、包装箱１の底部の強度を高めることができる。
【００４４】
本実施形態の包装箱１では、図１に示すように、前後の端壁１１，１２の外面および左右の側壁１３，１４の外面に加えて各傾斜壁１６ａ〜１６ｄの外面にも商品情報を印刷することができる。
これにより、包装箱１を売り場に並べたときに、顧客は前後左右および斜めの方向から商品情報を明確に視認することができる。したがって、本実施形態の包装箱１では内部に収容した商品を有効にアピールすることができる。
【００４５】
以上、本考案の実施形態について説明したが、本考案は前記実施形態に限定されることなく、その趣旨を逸脱しない範囲で適宜に変更が可能である。
本実施形態では、図４に示すように、底板３０に前後左右四つの当接片３２が形成されているが、当接片３２の数は限定されるものではない。さらに、底板３０に当接片３２を形成しなくてもよい。
【００４６】
本実施形態では、図１および図２に示すように、蓋部２０が前後の外フラップ２１，２１および左右の内フラップ２２，２２によって形成されているが、蓋部２０の構成は限定されるものではない。例えば、八角形の一枚の板によって蓋部２０を構成してもよい。また、胴部１０と蓋部２０とを別体に構成してもよい。
【００４７】
また、包装箱１の端壁１１，１２、側壁１３，１４および傾斜壁１６ａ〜１６ｄの幅や高さは限定されるものではない。
また、端壁１１，１２および側壁１３，１４に対する傾斜壁１６ａ〜１６ｄの傾斜角度も限定されるものではない。
例えば、両端壁１１，１２、両側壁１３，１４および各傾斜壁１６ａ〜１６ｄを同じ幅に形成して、胴部１０を正八角形に形成してもよい。
【００４８】
本実施形態の包装箱１は段ボール製であるが、各種公知の板紙によって包装箱１を形成することもできる。
【符号の説明】
【００４９】
１      包装箱
１０    胴部
１１    前端壁
１２    後端壁
１３    左側壁
１４    右側壁
１５    接合片
１６ａ  第一の傾斜壁
１６ｂ  第二の傾斜壁
１６ｃ  第三の傾斜壁
１６ｄ  第四の傾斜壁
２０    蓋部
２１    外フラップ
２２    内フラップ
３０    底板
３１    平板部
３１ａ  前縁部
３１ｂ  後縁部
３１ｃ  左縁部
３１ｄ  右縁部
３１ｅ  第一の傾斜縁部
３１ｆ  第二の傾斜縁部
３１ｇ  第三の傾斜縁部
３１ｈ  第四の傾斜縁部
３２    当接片
Ｓ      ブランクシート
【図１】
0003208239.tif 000003
【図２】
0003208239.tif 000004
【図３】
0003208239.tif 000005
【図４】
0003208239.tif 000006
【図５】
0003208239.tif 000007